(57)【特許請求の範囲】
【請求項１】
育成用組立体であって、
複数の側板を有する囲壁を有するコンテナと、
上記コンテナに対して外側を向く少なくとも１つの第１係合構造と、
別の上記育成用組立体の上記コンテナを並列に連結するように構成されている係合部材と
を備え、
２つの係合列を有する組み合わせユニットをさらに備え、
上記複数の側板の各１つが、
上面と、
上記側板の上記上面に画定される複数の組み合わせ穴と
を有し、
各係合列が、上記複数の側板のうちの１つの上記複数の組み合わせ穴とそれぞれ係合することができる複数の係合突起部を有し、
上記少なくとも１つの第１係合構造の各１つが、溝であり、
上記係合部材が、
反対方向を向く２つの第２係合構造
を有し、
上記２つの第２係合構造の各１つが、細長い突起部であり、上記少なくとも１つの第１係合構造のうちの１つと係合することができる育成用組立体。
【請求項２】
上記囲壁が、
周面を有する少なくとも１つの支柱と、
上記囲壁によって取り囲まれている開口部と
を有し、
上記少なくとも１つの第１係合構造の各１つが、上記少なくとも１つの支柱の各１つの上記周面に形成されている溝であり、上記コンテナの上記開口部まで延在し、
上記２つの第２係合構造の各１つが、細長い突起部である請求項１に記載の育成用組立体。
【請求項３】
複数の連結部材を有し、上記複数の連結部材の各１つが、
周面と、
第１端と、
上記連結部材の上記第１端の反対側に配設されている第２端と
を有し、
上記複数の連結部材の各１つの上記第１端が、上記コンテナに連結されており、
上記少なくとも１つの第１係合構造の各１つが、上記複数の連結部材の各１つの上記周面に形成されている溝であり、上記連結部材の上記第２端まで延在し、
上記２つの第２係合構造の各１つが、細長い突起部である請求項１に記載の育成用組立体。
【発明の詳細な説明】
【技術分野】
【０００１】
本発明は、昆虫、小動物又は植物を育成するためのコンテナに関し、より具体的には、用途の要求に従って柔軟に組み立てることができ、複数の育成用組立体を並列に（隣り合わせに）組み立てる際の労力を削減することができる育成用組立体に関する。
【背景技術】
【０００２】
育成箱は、昆虫、小動物又は植物を繁殖させるためのコンテナである。しかしながら、魚類、エビ類又は植物を繁殖させることは、養殖池の建設のため又は植え付けのための大面積の土地を必要とする。都市部の土地は、多くはなく高価であり、大規模の育成の要求を満たすことができない。多くの都市部の住人は、育成のために、又は環境緑化のためにさえも育成箱を使用している。
【０００３】
伝統的な育成箱は１つのコンテナのみを有する。複数の伝統的な育成箱が育成のために使用される場合、それらの伝統的な育成箱の配置は、土地及び空間の制約に従って行われることになる。伝統的な育成箱は積み重ね用の要素を欠くので、この伝統的な育成箱は、並列（隣り合わせ）配置に好適であるにすぎない。２つの伝統的な育成箱が単純に積み重ねられる場合、積み重ね用の要素を欠くため、その２つの伝統的な育成箱の間に空間は存在しない。その２つの伝統的な育成箱のうちの下方のものは、通気状態が悪く十分な光を受け取ることができない。それゆえ、伝統的な育成箱は、積み重ねに好適ではなく、空間利用においても限界がある。伝統的な育成箱は、積み重ね用の付加的なフレームによって支持される必要がある。さらに、伝統的な育成箱は、２つの伝統的な育成箱の２つの隣接するコンテナを並列に組み合わせるための要素を欠く。それゆえ、この２つの隣接するコンテナは、ずれやすい。
【０００４】
この伝統的な育成箱の上述の欠点を改良するために、従来の育成箱が発案されている。この従来の育成箱は、コンテナと、この従来の育成箱のコンテナ上に配設された組み合わせ要素とを有する。従来の育成箱の組み合わせ要素は、従来の育成箱のコンテナに直接配置されており、このため、２つの従来の育成箱が組み合わされる場合、この２つの従来の育成箱のうちの一方は、２つの従来の育成箱の他の一方と組み合わせるために移動される必要がある。上記従来の育成箱のコンテナを移動するには労力がかかり、とりわけ、上記従来の育成箱のコンテナがその中に物体を有している場合には、上記コンテナを移動するには労力がかかる。
【発明の概要】
【発明が解決しようとする課題】
【０００５】
従来の育成箱の短所を克服するために、本発明は、上述の課題を軽減又は解消するための育成用組立体を提供する。
【０００６】
本発明の主な目的は、組み立てが容易であり省力化できる育成用組立体を提供することである。
【課題を解決するための手段】
【０００７】
当該育成用組立体は、コンテナと、このコンテナの外部を向く少なくとも１つの第１係合構造と、係合部材とを備える。この係合部材は、別の育成用組立体のコンテナを並列に（隣り合わせに）連結するように構成されている。係合部材は、反対方向を向く２つの第２係合構造を有する。この２つの第２係合構造の各１つは、少なくとも１つの第１係合構造のうちの１つと係合することができる。当該育成用組立体のコンテナは、上記係合部材を介して、そしてコンテナを移動させるために多大な労力を費やすことなく、別の育成用組立体のコンテナに並列に連結することができる。
【０００８】
本発明の他の目的、優位点及び新規な特徴は、添付の図面と合わせて解釈すると、以下の詳細な説明からより明らかになる。
【図面の簡単な説明】
【０００９】
【図１】図１は、一緒に直立して組み立てられる２つの育成用組立体を示す本発明の第１実施形態の斜視図である。
【図２】図２は、図１の第１実施形態の部分拡大斜視図である。
【図３】図３は、図１の第１実施形態の分解斜視図である。
【図４】図４は、図１の第１実施形態の２つの育成用組立体のうちの１つのコンテナの斜視図である。
【図５Ａ】図５Ａは、図４のコンテナの部分拡大斜視図である。
【図５Ｂ】図５Ｂは、図４のコンテナの別の部分拡大斜視図である。
【図６】図６は、図１の第１実施形態の部分分解斜視図である。
【図７Ａ】図７Ａは、図１の第１実施形態の排水ボードの拡大斜視図である。
【図７Ｂ】図７Ｂは、図１の第１実施形態の排水ボードの斜視図である。
【図８】図８は、並列に連結されている２つの育成用組立体の２つのコンテナを示す、図１の第１実施形態の別の分解斜視図である。
【図９】図９は、一緒に連結されている４つの育成用組立体を示す、図１の第１実施形態の斜視図である。
【図１０】図１０は、本発明に係る第２実施形態の部分分解斜視図である。
【図１１】図１１は、並列に連結されている２つの育成用組立体を示す、図１０の第２実施形態の斜視図である。
【図１２】図１２は、本発明が水平方向に成長する植物を育成するために応用できることを示す、本発明の稼働状態の斜視図である。
【図１３】図１３は、本発明が長手方向に成長する植物を育成するために応用できることを示す、一部断面で示す本発明の別の稼働状態の斜視図である。
【図１４】図１４は、本発明が植物及び魚類の両方を育成するために応用できることを示す、本発明の別の稼働状態の斜視図である。
【図１５】図１５は、本発明に係る第３実施形態の斜視図である。
【図１６】図１６は、図１５の第３実施形態の部分分解斜視図である。
【図１７】図１７は、本発明に係る第４実施形態の斜視図である。
【図１８】図１８は、第４実施形態の部分拡大斜視図である。
【図１９】図１９は、図１７の第４実施形態の、一部断面で示す側面図である。
【発明を実施するための形態】
【００１０】
図１〜図３に示すように、本発明に係る第１実施形態は、２つの育成用組立体１を有する。各育成用組立体１はコンテナ１０を有する。この２つの育成用組立体の各々は４つの連結部材２０を有する。
【００１１】
図３、図４、図５Ａ及び図５Ｂに示すように、上記２つの育成用組立体１のコンテナ１０は互いに構造的に同一であり、説明の簡潔さのため、コンテナ１０の一方のみを以降で紹介する。コンテナ１０は、断面と、底部１１と、囲壁１２と、開口部１３とを有する。コンテナ１０の断面は、矩形であり、４つの隅部を有する。囲壁１２は、環状であり、底部１１に直立して（すなわち上下方向に）形成されており、４つの側板１２１と４本の支柱１２２とを有する。４つの側板１２１は、矩形形状にループを形成する。４つの側板１２１の各１つは、上面と、側板１２１のこの上面に等間隔で画定される複数の組み合わせ穴１２１１とを有する。コンテナ１０の開口部１３は、囲壁１２の４つの側板１２１によって取り囲まれており、位置に置いて底部１１と反対側にある。
【００１２】
本発明の第１実施形態では、各育成用組立体１のコンテナ１０の個数は１である。実際には、各育成用組立体１のコンテナ１０の個数は限定されない。本発明の第１実施形態では、各コンテナ１０の断面は矩形であり、コンテナ１０の囲壁１２の側板１２１の個数は４であり、コンテナ１０の囲壁１２の支柱１２２の個数は４である。実際には、各コンテナ１０の断面の形状並びに側板１２１及び支柱１２２の個数は限定されない。各コンテナ１０の断面は三角形状であってもよいし、他の多角形状であってもよい。
【００１３】
図４、図５Ａ及び図５Ｂに示すように、４本の支柱１２２は、底部１１からコンテナ１０の開口部１３まで直立して延在し、等角度間隔で配設されている。第１実施形態では、４本の支柱１２２は、それぞれ、コンテナ１０の４つの隅部に配設されている。各支柱１２２は、隣接する２つの側板１２１間に配設されている。各支柱１２２は、第１端と、第２端と、第１連結構造１２３と、第２連結構造１２４とを有する。支柱１２２の第１端及び第２端は、位置に置いて反対側にある。第１連結構造１２３は、支柱１２２の第１端に配設されている。第２連結構造１２４は、支柱１２２の第２端に配設されている。第１連結構造１２３は、構造において第２連結構造１２４に対応する。各支柱１２２の第１連結構造１２３は、コンテナ１０の底部１１に隣接して配設されており、５本の挿入棒として実施されている。この５本の挿入棒は、主挿入棒１２３１と、主挿入棒１２３１を等角度間隔で取り囲む４本の補助挿入棒１２３２とに区分される。主挿入棒１２３１は、４本の補助挿入棒１２３２の各１本の直径よりも大きい直径を有する。
【００１４】
図４、図５Ａ及び図５Ｂに示すように、各支柱１２２の第２連結構造１２４は、構造及び位置において第１連結構造１２３の５本の挿入棒に対応して配置される５つの挿入穴である。この５つの挿入穴は、主挿入穴１２４１と、主挿入穴１２４１を等角度間隔で取り囲む４つの補助挿入穴１２４２とに区分される。主挿入穴１２４１は、４つの補助穴１２４２の各１つの直径よりも大きい直径を有する。
【００１５】
第１実施形態では、４本の支柱１２２の各１本の第１連結構造１２３は上記５本の挿入棒を有し、４本の支柱１２２の各１本の第２連結構造１２４は上記５つの挿入穴を有する。あるいは、４本の支柱１２２の各１本の第１連結構造１２３が５つの挿入穴であってもよく、４本の支柱１２２の各１本の第２連結構造１２４が５本の挿入棒であってもよい。各支柱１２２の第１連結構造１２３及び第２連結構造１２４の構成は、第１連結構造１２３が構造において第２連結構造１２４に対応する限り、限定されない。
【００１６】
図６に示すように、各連結部材２０は、角柱であり、周面と、第１端と、第２端と、第１連結構造２１と、第２連結構造２２とを有する。この周面は、４つの取り囲む側面で構成される。連結部材２０の第１端及び第２端は、位置に置いて反対側にある。第１連結構造２１及び第２連結構造２２は、それぞれ、連結部材２０の第１端及び第２端に配設されている。各連結部材２０の第１連結構造２１の構造は、各支柱１２２の第１連結構造１２３の構造と同じであり、５本の挿入棒として実施されている。各連結部材２０の第２連結構造２２の構造は、各支柱１２２の第２連結構造１２４の構造と同じであり、第１連結構造１２３、２１のうちの１つの５本の挿入棒と係合することができる５つの挿入穴として実施されている。
【００１７】
図１、図３、図４及び図６に示すように、４つの連結部材２０の４つの第１連結構造２１は、それぞれ、４本の支柱１２２の４つの第２連結構造１２４と係合する。各連結部材２０の第１端は、コンテナ１０の開口部１３に隣接して配設されている。
【００１８】
図６に示すように、各育成用組立体１は、コンテナ１０に対して外側を向く少なくとも１つの第１係合構造２３、２４を有する。各育成用組立体１の少なくとも１つの第１係合構造２３、２４は、４つの連結部材２０に形成されている。好ましくは、各連結部材２０に形成されている第１係合構造２３、２４の個数は４である。４つの第１係合構造２３、２４は、連結部材２０の周面の４つの側面にそれぞれ形成されている。第１係合構造２３のうちの２つは、連結部材２０の周面の４つの側面のうちの２つにそれぞれ形成されている。第１係合構造２３のうちの上記２つは、コンテナ１０に対して外側を向く。第１係合構造２４のうちの他の２つは、連結部材２０の周面の４つの側面のうちの他の２つにそれぞれ形成されている。本発明の第１実施形態では、各第１係合構造２３、２４は、連結部材２０の第２端に向かって幅が漸増する拡張部２３１を有する細長い蟻溝である。
【００１９】
図８に示すように、各育成用組立体１は、係合部材３０をさらに有する。２つの育成用組立体１の係合部材３０は、互いに構造的に同一であり、説明の簡潔さのため、係合部材３０のうちの１つのみを以降で紹介する。係合部材３０は、反対方向を向く２つの第２係合構造３１を有する。係合部材３０の各第２係合構造３１は、細長い突起部であり、細長い蟻溝として実施されている各第１係合構造２３、２４に対応する蟻継ぎ部を有する。各第２係合構造３１及び各第１係合構造２３、２４の断面は、各第１係合構造２３、２４が第２係合構造３１と係合することができる限り、円形であってもよく、いずれかの他の多角形状であってもよい。
【００２０】
図１、図３、図４、図６及び図８に示すように、２つの育成用組立体１のうちの１つのコンテナ１０の４本の支柱１２２の４つの第１連結構造１２３は、４つの連結部材２０の４つの第２連結構造２２にそれぞれ連結されている。４つの連結部材２０により、２つの育成用組立体１の２つのコンテナ１０を直立して（すなわち上下方向に）組み立てられるようになっている。２つのコンテナ１０間に配設されている４つの連結部材２０は、２つのコンテナ１０のうちの下方のものが十分な空気及び光の供給を受けるように、２つのコンテナ１０を引き離している。本発明の第１実施形態では、２つの育成用組立体１は、いずれの付加的なフレームもなしに直立して組み立てることができる。それゆえ、使用者は、付加的なフレームを購入するための資金及び付加的なフレームを組み立てるための時間を節約することができる。
【００２１】
図３及び図８に示すように、２つの育成用組立体１のうちの１つは、組み合わせユニット４０と、育成用基部５０と、４つの柵６０とをさらに有する。組み合わせユニット４０は、細長く、天板４１と、２つの側面板４２と、２つの係合列４３とを有する。天板４１は伸長方向と内面４１１とを有する。２つの側面板４２は、天板４１の内面４１１に連結されてＵ字型部を形成する。２つの係合列４３は、天板４１の内面４１１に形成されており、２つの側面板４２間に配設されている。各係合列４３は、天板４１の伸長方向にそって配置される複数の係合突起部４３１を有する。各係合列４３の複数の係合突起部４３１の個数は、複数の組み合わせ穴１２１１の個数に対応する。
【００２２】
図８に示すように、２つの育成用組立体１は、並列に組み立てることができる。２つのコンテナ１０のうちの一方の囲壁１２の側板１２１のうちの１つは、２つのコンテナ１０のうちの他の一方の囲壁１２の側板１２１のうちの１つに対して十分に当接し、２つの当接した側板１２１となる。連結部材２０のうちの２つは互いに当接し、２つの当接した連結部材２０として画定される。２つの当接した連結部材２０のうちの一方に形成されている第１係合構造２３は、２つの当接した連結部材２０の他の一方に形成されている第１係合構造２３と整列する。係合部材３０のうちの１つは、２つの当接した連結部材２０間に下向きに挿入される。係合部材３０の２つの第２係合構造３１は、それぞれ、２つの当接した連結部材２０にそれぞれ形成されている２つの第１係合構造２３と係合する。それゆえ、２つの育成用組立体１の２つのコンテナ１０は、並列に連結される。次に、組み合わせユニット４０が、２つの当接した側板１２１に装着される。組み合わせユニット４０の２つの組み合わせ列４３の一方の複数の組み合わせ用突起部４３１は、それぞれ、２つの当接した側板１２１のうちの一方の複数の組み合わせ穴１２１１の中へ挿入される。組み合わせユニット４０の２つの組み合わせ列４３のうちの他の一方の複数の組み合わせ用突起部４３１は、それぞれ、２つの当接した側板１２１のうちの他の一方の複数の組み合わせ穴１２１１の中へと挿入される。２つのコンテナ１０間の連結は、組み合わせユニット４０によって強められる。各連結部材２０に配設されている第１係合構造２３の拡張部２３１は、連結部材２０の第２連結構造２２に隣接して配設されている。拡張部２３１は、各係合部材３０に対して案内機能を提供し、各係合部材３０が連結部材２０のうちの２つの間に容易に挿入されることを促す。
【００２３】
実際には、４つの育成用組立体１の４つのコンテナ１０は、図９に示されるようにして組み立てることができる。２つの直立して組み立てられるコンテナ１０を有する２対の育成用組立体が並列に組み立てられる。
【００２４】
本発明の第１実施形態では、第１係合構造２３、２４は連結部材２０に配設されており、第２係合構造３１は係合部材３０に配設されており、２つのコンテナ１０は連結部材２０及び係合部材３０によって並列に組み立てられている。実際には、第１係合構造２３及び第２係合構造３１は、連結部材２０に配設されてもよい。２つのコンテナ１０は、連結部材２０を介して、第１係合構造２３、２４を用いて並列に連結され、かつ連結部材２０が第２係合構造３１を用いて連結されてもよい。
【００２５】
図１、図３、図７Ａ及び図７Ｂに示すように、育成用基部５０は、コンテナ１０のうちの１つの中に配設されている。育成用基部５０は、上面５１と、複数の空洞５２と、４つの把持部５３とを有する。複数の空洞５２は、育成用基部５０の上面５１に離間して画定されている。複数の空洞５２は、植物用ポットを受けるために用いられる。各２つの把持部５３は、育成用基部５０の上面５１に離間して配設されており、斜向かいに配設されている。育成用基部５０及びそれぞれ複数の空洞５２に受けられた複数の植物用ポットを移動させるために、使用者は、コンテナ１０の中へと手を伸ばして把持部５３のうちの２つを掴むことができる。本発明の第１実施形態では、育成用基部５０は、形状において各コンテナ１０の断面に対応する矩形の輪郭を有する。各把持部５３は、Ｌ字型の断面及び凹部を有する。２つの把持部５３の２つの凹部は、互いに斜向かいに向き合うように配設されている。
【００２６】
図２、図５Ａ及び図６に示すように、各柵６０は、２つの反対側にある端部と、２つの第２係合構造６１と、複数の挿入用突起部６２とを有する。２つの第２係合構造６１は、それぞれ、柵６０の２つの反対側にある端部に配設されている。複数の挿入用突起部６２は、柵６０の底面に配設されている。複数の挿入用突起部６２は、柵６０にそって配置されており、コンテナ１０の囲壁１２の側板１２１のうちの１つの複数の組み合わせ穴１２１１に対応する。柵６０は、２つの隣接する連結部材２０間に挿入され、柵６０の２つの第２係合構造６１は、それぞれ、２つの連結部材２０にそれぞれ配設されている２つの第１係合構造２４と係合する。複数の挿入用突起部６２は、柵６０の下方に配設されている側板１２１のうちの１つの複数の組み合わせ穴１２１１の中へとそれぞれ挿入される。図１に示すように、４つの柵６０は、２つのコンテナ１０のうちの上方のものを保護する。
【００２７】
図１〜図４に示すように、２つのコンテナ１０のうちの下方のものの囲壁１２の各支柱１２２は、脚カバー７０を備える。脚カバー７０は、構造において各第１連結構造１２３、２１に対応する第２連結構造７１を有する。第２連結構造７１は、上記５本の挿入棒と係合することができる５つの挿入穴を有する。脚カバー７０の第２連結構造７１の５つの挿入穴は、それぞれ、支柱１２２のうちの１つの第１連結構造１２３の５本の挿入棒に接して及びその５本の挿入棒の周りに配設されている。本発明の第１実施形態では、２つのコンテナ１０のうちの下方のものの４本の支柱１２２は、それぞれ、４つの脚カバー７０を備える。それゆえ、この第１実施形態は、安定して水平面に置くことができる。
【００２８】
図１〜図３及び図６に示すように、２つのコンテナ１０のうちの上方のものに連結されている各連結部材２０は、ほこり除け８０を備え、第１連結構造８１が第２連結構造１２４、２２のうちの一方と係合することができる。第１連結構造８１は、各第２連結構造１２４、２２の５つの挿入穴に対応する５本の挿入棒を有する。この５本の挿入棒は、それぞれ、連結部材２０のうちの１つの各第２連結構造２２の５つの挿入穴の中へと挿入される。本発明の第１実施形態では、４つの連結部材２０の４つの第２連結構造２２は、それぞれ、異物が各連結部材２０の連結構造２２の中へと侵入することを防止するための４つのほこり除け８０を備える。
【００２９】
図１０に示すように、本発明の第２実施形態は、上記第１実施形態と実質的に同じであり、コンテナ１０と、２つの係合部材３０とを有する。第２実施形態では、４つの連結部材２０は省略されている。各支柱１２２は、２つの第１係合構造１２５をさらに有する。各第１係合構造１２５は、支柱１２２の周面に形成されている細長い溝であり、支柱１２２の第２端に向かって徐々に広がる拡張部を有する。つまり、各第１係合構造１２５の拡張部は、コンテナ１０の開口部１３に向かって徐々に広がる。第２実施形態では、各係合部材３０も、第１係合構造１２５のうちの１つと係合することができる２つの第２係合構造３１を有する。
【００３０】
図１０及び図１１に示すように、２つのコンテナ１０を並列に組み立てるために、２つのコンテナ１０は、予め並べて置かれる。２つのコンテナ１０のうちの一方の２つの隣接する支柱１２２は、それぞれ、２つのコンテナ１０のうちの他の一方の２つの隣接する支柱１２２に対して当接し、他方で、２つのコンテナ１０のうちの一方の２つの隣接する支柱１２２にそれぞれ配設されている２つの第１係合構造１２５は、それぞれ、２つのコンテナ１０のうちの他の一方の２つの隣接する支柱１２２にそれぞれ配設されている２つの第１係合構造１２５と整列している。２つの係合部材３０は、２つのコンテナ１０間に下向きに挿入される。２つの係合部材３０のうちの一方の２つの第２係合構造３１は、それぞれ、２つの第１係合構造１２５と係合する。それゆえ、２つのコンテナ１０は、並列に組み立てることができる。
【００３１】
図１２及び図１３に示すように、本発明は、サツマイモ又はジャガイモＰを植え付けることができる。図１２に示すように、本発明の柵６０は、コンテナ１０を保護するだけでなく、成長する植物に長手方向空間を提供するための土壌を保持するために利用することもできる。柵６０は、植物に十分な発根深さを提供する。植物は、各コンテナ１０の囲壁１２の高さによって制限を受けることなく成長することができる。それゆえ、図１２に示すように、本発明は、ジャガイモＰを植え付けるのに好適である。加えて、並列に（隣り合わせに）組み立てられている２つのコンテナ１０は、植物に成長用の水平の空間を提供する。それゆえ、本発明は、匍匐枝が水平方向に広がるサツマイモを植え付けるのにも好適である。図１２に示すように、柵６０のうちの１つは、柵６０によって保持されている土壌を取り除くために、取り除くことができる。サツマイモＰは露出し、これは収穫にとって好都合である。
【００３２】
図１３に示すように、柵６０の個数は１２であってもよい。１２の柵６０は３組に分けられており、各組は４つの柵６０を有する。３組の柵６０は直立して組み立てられている。そして、各組は土壌を保持することができる。３組の柵６０は、ジャガイモＰの根茎により多くの成長用土壌を提供する。ジャガイモＰの根茎の節の数は増え、これに応じてジャガイモＰの塊茎の数は増える。それゆえ、直立して組み立てられている３組の柵６０は、ジャガイモＰの収穫における容易さを促す。
【００３３】
図１４に示すように、各育成用組立体１の係合部材３０は、２つのコンテナ１０を並列に組み立てるために使用することができる。図１４の上方のコンテナ１０は、植物を育成するために応用することができる。図１４の下方のコンテナ１０は、魚類、エビ類又は他の小動物を育成するために応用することができる。上方のコンテナ１０及び下方のコンテナ１０の中の水は、付加的な再生利用システムを介して再生利用することができる。それゆえ、下方のコンテナ１０の中で育成されている魚類及びエビ類の排泄物中の窒素及びリンは、上方のコンテナ１０に移されて、上方のコンテナ１０の中の植物に栄養源として与えられる。この付加的な再生利用システムを用いると、本発明は、アクアポニックスのために応用することができる。
【００３４】
図１５及び図１６に示すように、本発明の第３実施形態は、上記第１実施形態と実質的に同じであり、カバーセット８０Ａ及び４つのキャスター（脚輪）９０をさらに有する。
【００３５】
カバーセット８０Ａは、支持フレーム８１Ａとメッシュカバー８２Ａとを有する。支持フレーム８１Ａは、図１５の上方の育成用組立体１の４つの連結部材２０に連結されている。支持フレーム８１Ａは、４つの組み立て要素８１１Ａと、４つの直立桟８１２Ａと、４つの連結要素８１３Ａと、４つの横桟８１４Ａとを有する。４つの組み立て要素８１１Ａは、それぞれ、４つの連結部材２０に連結されている。各組み立て要素８１１Ａは固定用穴８１１１Ａを有する。４つの直立桟８１２Ａは、それぞれ、４つの組み立て要素８１１Ａの４つの固定用穴８１１１Ａの中へ挿入され、直立して配設されている。４つの連結要素８１３Ａは、それぞれ４つの直立桟８１２Ａに装着され、それぞれ４つの組み立て要素８１１Ａから離れている。各横桟８１４Ａは、２つの隣接する連結要素８１３Ａに連結されている。
【００３６】
メッシュカバー８２Ａは、支持フレーム８１Ａに装着されており、上方の育成用組立体１のコンテナ１０を覆っている。メッシュカバー８２Ａは、本体８２１Ａと扉８２２Ａとを有する。本体８２１Ａは、入口８２１１Ａと第１固定ユニット８２１２Ａとを有する。扉８２２Ａは、本体８２１Ａに一体的に形成されており、本体８２１Ａの入口８２１１Ａを覆うことができ、第２固定ユニット８２２１Ａを有する。第１固定ユニット８２１２Ａ及び第２固定ユニット８２２１Ａは、相互に連結することができ、ジッパー又はフック及び面ファスナーであってもよい。
【００３７】
カバーセット８０Ａは、害虫をブロックし、上方の育成用組立体１のコンテナ１０を害虫の侵入から保護することができる。メッシュカバー８２Ａの扉８２２Ａは、開け閉めに好都合である。それゆえ、コンテナ１０の内部の植物に容易に接近することができる。
【００３８】
各キャスター９０は、第１連結構造１２３、２１のうちの１つと係合することができる第２連結構造を有し、構造において第１連結構造１２３、２１の５本の挿入棒に対応する５つの挿入穴を有する。４つのキャスター９０は、図１５の下方の育成用組立体１のコンテナ１０に連結されている。４つのキャスター９０の４つの第２連結構造は、それぞれ、下方の育成用組立体１のコンテナ１０の４本の支柱１２２の４つの第１連結構造１２３と組み立てられている。４つのキャスター９０により、本発明が移動させるのに容易で好都合になっている。
【００３９】
図１７及び図１８に示すように、第４実施形態は、上記第１実施形態と実質的に同じであり、再生利用システム９０Ａをさらに有する。再生利用システム９０Ａは、ポンプ９１Ａと、導管９２Ａと、導入セット９３Ａと、濾過箱９４Ａとを有する。ポンプ９１Ａは、図１７の下方の育成用組立体１のコンテナ１０の内に配設されている。導管９２Ａは、反対側にある２つの端を有する。導管９２Ａの上記反対側にある２つの端のうちの一方はポンプ９１Ａと連通している。導管９２Ａの他端は図１７中の上方の育成用組立体１のコンテナ１０の内部と連通している。導入セット９３Ａは２つのコンテナ１０と連通しており、曲線部９３１Ａと、２つの直線部９３２Ａとを有する。曲線部９３１Ａは、反対側にある２つの端を有する。２つの直線部９３２Ａは、それぞれ、曲線部９３１Ａの上記反対側にある２つの端に連結されている。２つの直線部９３２Ａのうちの一方は、上方の育成用組立体１のコンテナ１０を通り、下方の育成用組立体１のコンテナ１０の内部に到達して、２つのコンテナ１０を互いに連通している状態にする。２つの直線部９３２Ａのうちの他の一方は、上方の育成用組立体１のコンテナ１０の内部と連通している。濾過箱９４Ａは、環状壁９４１Ａと、環状壁９４１Ａを貫通して画定される複数の濾過穴９４２Ａと、環状壁９４１Ａ内に直立して配設されている分割板９４３Ａと、分割板９４３Ａによって分割されている第１空間Ｓ１及び第２空間Ｓ２と、濾過スポンジ９４４Ａとを有する。濾過箱９４Ａは、上方の育成用組立体１のコンテナ１０内に配設されている。導管９２Ａは、濾過箱９４Ａの第２空間Ｓ２と連通しており、また第２空間Ｓ２を介して上方の育成用組立体１のコンテナ１０の内部と連通している。導入セット９３Ａは、濾過箱９４の第１空間Ｓ１内に配設されている。濾過スポンジ９４４Ａは、濾過箱９４Ａの第２空間Ｓ２内に配設されている。
【００４０】
第４実施形態における再生利用システム９０Ａにより、上方の育成用組立体１及び下方の育成用組立体１の２つのコンテナ１０の間で水を再生利用することが可能になる。下方の育成用組立体１のコンテナ１０は、魚類、エビ類又は他の小動物を育成するために応用することができる。上方の育成用組立体１のコンテナ１０は、植物を育成するために応用することができる。魚類及びエビ類の排泄物中の窒素は、ポンプ９１Ａによって水とともに汲み出すことができる。図１９に示すように、下方の育成用組立体１のコンテナ１０から来る水は、導管９２Ａを経由して上方の育成用組立体１のコンテナ１０に入る。水は濾過箱９４Ａを通って流れる。濾過箱９４Ａの第２空間Ｓ２内に配設されている濾過スポンジ９４４Ａは固体の排泄物を遮断する。水の中の窒素は、細菌の窒素固定によりアンモニア又は硝酸へと変換される。このアンモニア又は硝酸は、植物によって吸収されることができ、植物に栄養素をもたらす。精製水は導入セット９３Ａに入り、サイフォン作用により下方の育成用組立体１のコンテナ１０へと戻る。上方の育成用組立体１のコンテナ１０内で育成される植物は、施肥なしに健康に育つことができる。下方の育成用組立体１のコンテナ１０内で育成される魚類又はエビ類は、精製水を与えられる。
【００４１】
本発明の構造及び特徴の細部とともに上述の説明で本発明の数多くの特性及び優位点を示したが、本開示は例証すぎない。添付の特許請求の範囲を表現している用語の広義の包括的意味によって含意される全範囲まで、本発明の原理の範囲内で、細部、とりわけ各部の形状、サイズ、及び配置の事項において変更がなされてもよい。
【符号の説明】
【００４２】
１  育成用組立体
１０  コンテナ
１１  底部
１２  囲壁
１２１  側板
１２２  支柱
１２１１  組み合わせ穴
１２３  第１連結構造
１２４  第２連結構造
１２３１  主挿入棒
１２３２  補助挿入棒
１２４１  主挿入穴
１２４２  補助挿入穴
１２５  第１係合構造
１３  開口部
２０  連結部材
２１  第１連結構造
２２  第２連結構造
２３、２４  第１係合構造
２３１  拡張部
３０  係合部材
３１  第２係合構造
４０  組み合わせユニット
４１  天板
４１１  内面
４２  側面板
４３  係合列（組み合わせ列）
４３１  係合突起部（組み合わせ用突起部）
５０  育成用基部
５１  上面
５２  空洞
５３  把持部
６０  柵
６１  第２係合構造
６２  挿入用突起部
７０  脚カバー
７１  第２連結構造
８０  ほこり除け
８１  第１連結構造
８０Ａ  カバーセット
９０  キャスター（脚輪）
８１Ａ  支持フレーム
８１１Ａ  組み立て要素
８１２Ａ  直立桟
８１３Ａ  連結要素
８１４Ａ  横桟
８１１１Ａ  固定用穴
８２Ａ  メッシュカバー
８２１Ａ  本体
８２２Ａ  扉
８２１１Ａ  入口
８２１２Ａ  第１固定ユニット
８２２１Ａ  第２固定ユニット
９０Ａ  再生利用システム
９１Ａ  ポンプ
９２Ａ  導管
９３Ａ  導入セット
９３１Ａ  曲線部
９３２Ａ  直線部
９４Ａ  濾過箱
９４１Ａ  環状壁
９４２Ａ  濾過穴
９４３Ａ  分割板
９４４Ａ  濾過スポンジ
Ｐ  サツマイモ、ジャガイモ
Ｓ１  第１空間
Ｓ２  第２空間
【図１】
0006913959.tif 000002
【図２】
0006913959.tif 000003
【図３】
0006913959.tif 000004
【図４】
0006913959.tif 000005
【図５Ａ】
0006913959.tif 000006
【図５Ｂ】
0006913959.tif 000007
【図６】
0006913959.tif 000008
【図７Ａ】
0006913959.tif 000009
【図７Ｂ】
0006913959.tif 000010
【図８】
0006913959.tif 000011
【図９】
0006913959.tif 000012
【図１０】
0006913959.tif 000013
【図１１】
0006913959.tif 000014
【図１２】
0006913959.tif 000015
【図１３】
0006913959.tif 000016
【図１４】
0006913959.tif 000017
【図１５】
0006913959.tif 000018
【図１６】
0006913959.tif 000019
【図１７】
0006913959.tif 000020
【図１８】
0006913959.tif 000021
【図１９】
0006913959.tif 000022